(57)【要約】【課題】障害物による干渉及び破損を防止し、高いアンテナ利得を確保しうるワイヤレスアンテナ装置を提供すること。【解決手段】平面アンテナアレイ１をビデオカメラ４の前方に向けてコネクタ３を介し受信装置２に固定して、平面アンテナアレイ１をビデオカメラ４に取り付けるよう構成したことにより、ビデオカメラ４の上部のアンテナ高さを抑えるとともに、平面アンテナ１の指向性をビデオカメラ４の前方に向けるようにして、アンテナの指向性利得を確保するようにした。【選択図】  図１
2006148948.tif 000002
【特許請求の範囲】
【請求項１】
ワイヤレスマイクロホンの下部に配置された第１アンテナと、前記第１アンテナから一定の距離を隔てマイクロホン部近傍に配置された第２アンテナと、前記マイクロホン部からの音声信号を処理して高周波送信信号を出力する送信回路と、前記送信回路からの高周波送信信号を第１アンテナまたは第２アンテナのいずれかに切り替える高周波信号切替回路と、前記高周波信号切替回路と前記送信回路との中間に挿入され前記第１アンテナ及び第２アンテナからの高周波送信信号の反射成分を検出する方向性結合器と、前記方向性結合器による反射成分の検出結果を受け前記送信回路からの高周波送信信号を反射成分が少ない方のアンテナに接続するよう前記高周波信号切替回路を切り替える検出制御部とを備え、
前記検出制御部により前記第１アンテナまたは第２アンテナのうち反射成分が少ない方のアンテナを選択して前記送信回路からの高周波送信信号を前記反射成分が少ない方のアンテナに自動的に切り替え送信するようにしたことを特徴とするワイヤレスマイクロホン。
【請求項２】
ワイヤレスマイクロホンの下部に配置された第１アンテナと、前記第１アンテナから一定の距離を隔てマイクロホン部近傍に配置された第２アンテナと、前記マイクロホン部からの音声送信信号を処理して出力する送信回路と、前記送信回路からの高周波送信信号を第１アンテナへ伝送し、前記第１アンテナからの反射信号を第２アンテナへ伝送するサーキュレータとを備え、
送信回路からの高周波送信信号を第１アンテナへ伝送して送信し、第１アンテナから反射信号があった場合はサーキュレータを介して第２アンテナへ伝送して送信するよう自動的に送信するアンテナを選択するようにしたことを特徴とするワイヤレスマイクロホン。
【請求項３】
前記第１アンテナをヘリカルアンテナで構成し、第２アンテナをループアンテナで構成したことを特徴とする請求項１または２記載のワイヤレスマイクロホン。
【発明の詳細な説明】
【技術分野】
【０００１】
本発明は、ワイヤレスマイクロホン装置及びビデオカメラに装備したワイヤレス受信装置のワイヤレスアンテナ装置に関する。
【背景技術】
【０００２】
従来、ビデオカメラに接続してワイヤレスマイクロホン装置からの送信信号を受信するワイヤレスマイクロホン用受信装置のアンテナ構成は、例えば、実開昭６２−５３８６７号公報に開示されているような起倒型のアンテナポールが一般に利用されていた。
【０００３】
また、他の従来例としては、図７に示すようなモノポールアンテナ又はスリーブアンテナ部をビデオカメラの上部に固定するような構成が利用されていた。すなわち、図７において、２は受信した音声信号を復調する受信装置、４は被写体を撮影するビデオカメラ、５は受信装置２の上部に固定されており被写体が携帯しているワイヤレスマイクロホン送信機からの電波を受信するスリーブアンテナ部、３はスリーブアンテナ部５を受信装置２に接続するコネクタ部である。一般に、この種のワイヤレスマイクロホン装置のワイヤレスアンテナでは、８００ＭＨｚ帯（波長約３８０ｍｍ）が利用されており、通常、このようなビデオカメラ４の上部に突起するスリーブアンテナ部５の高さは２分の１波長（約１９０ｍｍ）程度である。
【０００４】
ビデオカメラ４は、携帯型の撮像記録装置で、一般には、撮影者が肩に担ぎ被写体に体を正対させて撮影を行う。受信装置２はビデオカメラ４に内蔵するワイヤレス受信装置であり、一般には、人物等の被写体が携帯しているワイヤレスマイクロホン送信機からの電波を受信し、復調した音声信号をビデオカメラ４に入力する。ビデオカメラ４は、受信装置２から入力された音声信号を画像とともに記録する。スリーブアンテナ部５は、コネクタ部３を介して受信装置２に電気的に接続されるとともに、機械的に固定される。
【０００５】
また、スリーブアンテナの水平面内指向性は無指向性であるため、この従来例においては、ワイヤレスマイクロホン送信機が常にビデオカメラ４の前方にあるにも関わらず、受信装置のアンテナの指向性は全方向に向けられることになる。この場合、スリーブアンテナの利得は、一般に、約２．１ｄＢｉ程度である。
【０００６】
また、従来のワイヤレスマイクロホン送信機の内蔵アンテナとしては、例えば、ワイヤレスマイク筐体内部にモノポールアンテナやダイポールアンテナを配置して構成したものが使用されていた。また、他の例のワイヤレスマイクロホン内蔵アンテナとしては、図８に示すような（特開平９−９８４９４号公報に開示されている）ワイヤレスマイク筐体の内部に配置された逆Ｌアンテナで構成したものが知られている。
【０００７】
すなわち、図８において、アンテナエレメント１にはリード線４が接続され、プリント基板２の所定の位置には電力給電用コネクタ５が接続されており、アンテナエレメント１とプリント基板２を平行に配設して逆Ｌ型アンテナ構造を構成している。また、アンテナエレメント１と向かい合うようにインピーダンス整合用無給電エレメント３を配設し、且つアンテナエレメント１とインピーダンス整合用無給電エレメント３との間の距離６をインピーダンスの整合が最適となるように変化させるようにしている。
【特許文献１】実開昭６２−０５３８６７号公報
【発明の開示】
【発明が解決しようとする課題】
【０００８】
上記のような従来例によるワイヤレスアンテナ装置のうち、ビデオカメラに接続するワイヤレスマイクロホン用受信装置のワイヤレスアンテナ装置の構成については、ビデオカメラの上部に突起するワイヤレスアンテナの高さが２分の１波長（約１９０ｍｍ）程度と比較的長いため、撮影作業中に障害物に接触しやすく破損による故障が多いという問題があった。
【０００９】
また、上記のようなビデオカメラに使用する従来例のワイヤレスアンテナ装置の構成では、ワイヤレスアンテナの指向性が水平面内でほぼ無指向性となるため、一般に、ビデオカメラが向かっている方向（人間等の撮影対象または被写体の方向）であるビデオカメラの前方方向のアンテナ利得を高くすることができないという問題があった。
【００１０】
上記のような従来例によるワイヤレスアンテナ装置のうち、ワイヤレスマイクロホン送信機に内蔵するワイヤレスアンテナ装置においては、ワイヤレスマイクロホンを手で握る手の位置によって、手の近接効果の影響でワイヤレスアンテナの利得が劣化する度合いが大きく変化するという問題があった。例えば、下部にワイヤレスアンテナを配置したワイヤレスマイクロホンを手でその下部を握った場合はワイヤレスアンテナ利得の劣化が大きく、一般的には１０ないし１５ｄＢ程度の劣化が発生する。それに対し、ワイヤレスマイクロホンの上部、すなわちワイヤレスアンテナがないマイクロホン近傍を握った場合には、ワイヤレスアンテナ利得の劣化がほとんどない。
【００１１】
本発明は、上記従来の問題を解決するためになされたもので、ビデオカメラの上部に突起するワイヤレスアンテナの高さを低くして破損を防止し、ワイヤレスアンテナの指向性をビデオカメラの前方に向けることにより、高いアンテナ利得を確保したビデオカメラに装備するワイヤレス受信装置のワイヤレスアンテナ装置を提供することを目的とする。
【００１２】
また、本発明は、ワイヤレスマイクロホン装置の手で握る位置に関係無く、高いアンテナ利得を確保することができるワイヤレスマイクロホン装置（ワイヤレスマイクロホン送信機）に装備するワイヤレスアンテナ装置を提供することを目的とする。
【課題を解決するための手段】
【００１３】
本発明は、ワイヤレスマイクロホンのどこを手で握ろうと、手で握られていないところのワイヤレスアンテナ（第１アンテナまたは第２アンテナ）を自動的に選択し切り替えるようにしたことにより、高いアンテナ利得を確保することができるワイヤレスマイクロホンが得られる。
【００１４】
（発明の実施の形態）
本発明の請求項１に記載の発明は、ワイヤレスマイクロホンの下部に配置された第１アンテナと、前記第１アンテナから一定の距離を隔てマイクロホン部近傍に配置された第２アンテナと、前記マイクロホン部からの音声送信信号を処理して高周波の送信信号を出力する送信回路と、前記送信回路からの高周波送信信号を第１アンテナまたは第２アンテナのいずれかに切り替える高周波信号切替回路と、前記高周波信号切替回路と前記送信回路との中間に挿入され前記第１アンテナ及び第２アンテナからの高周波送信信号の反射成分を検出する方向性結合器と、前記方向性結合器による反射成分の検出結果を受け前記送信回路からの高周波送信信号を反射成分が少ない方のアンテナに接続するよう前記高周波信号切替回路を切り替える検出制御部とを備え、前記検出制御部により前記第１アンテナまたは第２アンテナからの反射成分が少ない方のアンテナを選択して前記送信回路からの高周波送信信号を反射成分が少ない方のアンテナに自動的に切り替え送信するようにしたものであり、
ワイヤレスマイクロホン装置の手で握る位置に関係無く、高いアンテナ利得を確保することができるという作用を有する。
【００１５】
本発明の請求項２に記載の発明は、ワイヤレスマイクロホンの下部に配置された第１アンテナと、前記第１アンテナから一定の距離を隔てマイクロホン部近傍に配置された第２アンテナと、前記マイクロホン部からの音声送信信号を処理して出力する送信回路と、前記送信回路からの高周波送信信号を第１アンテナへ伝送し、第１アンテナからの反射信号を第２アンテナへ伝送するサーキュレータとを備え、送信回路からの高周波送信信号を第１アンテナへ伝送して送信し、第１アンテナから反射信号があった場合はサーキュレータを介して第２アンテナへ伝送して送信するよう自動的に送信するアンテナを選択するようにしたものであり、
アンテナ選択回路の構成を簡素化し装置全体を小型化するとともに、ワイヤレスマイクロホン装置の手で握る位置に関係無く、高いアンテナ利得を確保することができるという作用を有する。
【００１６】
本発明の請求項３に記載の発明は、前記第１アンテナをヘリカルアンテナで構成し、第２アンテナをループアンテナで構成したものであり、
ワイヤレスマイクロホンの上部及び下部の形状に適合した省スペースの内蔵アンテナを構成することができるという作用を有する。
【発明の効果】
【００１７】
本発明は、ワイヤレスマイクロホン送信機にワイヤレスアンテナ装置を２個装備し、アンテナからの反射信号のレベルの大きさよって、インピーダンス整合の状態が良いアンテナを自動選択するようにしたことにより、常に高いアンテナ利得を確保して送信することができるワイヤレスマイクロホンを提供することができる。
【発明を実施するための最良の形態】
【００１８】
以下、添付図面、図１乃至図６に基づき、本発明の実施の形態を詳細に説明する。図１は本発明の第１の実施の形態におけるワイヤレスアンテナ装置を装備したビデオカメラの基本概念図、図２は本発明の第２の実施の形態におけるビデオカメラに装備するワイヤレスアンテナ装置の基本概念図、図３は本発明の第２の実施の形態におけるワイヤレスアンテナ装置の動作の説明図、図４は本発明の第３の実施の形態におけるワイヤレスアンテナ装置を装備したビデオカメラの基本概念図、図５は本発明の第４の実施の形態におけるワイヤレスマイクロホン送信機の構成を示す図であり、（Ａ）はワイヤレスマイクロホン送信機に内蔵するワイヤレスアンテナ装置の構成を示す図、（Ｂ）はワイヤレスマイクロホンの下部を手で持った状態を示す図、（Ｃ）はワイヤレスマイクロホンの上部を手で持った状態を示す図、図６は本発明の第５の実施の形態におけるワイヤレスマイクロホン送信機に内蔵するワイヤレスアンテナ装置の構成を示す図である。
（第１の実施の形態）
まず、図１を参照して、本発明の第１の実施の形態におけるビデオカメラに装備したワイヤレスアンテナ装置の構成を説明する。図１において、２は受信した音声信号を復調する受信装置、４は被写体を撮影するビデオカメラ、１は受信装置２の上部に固定されており被写体が携帯しているワイヤレスマイクロホン送信機１７（図５）からの電波を受信する平面アンテナ部、３は平面アンテナ部１を受信装置２に接続するコネクタ部である。
【００１９】
次に、図１を参照して、本実施の形態におけるビデオカメラに装備したワイヤレスアンテナ装置の動作を説明する。ビデオカメラ４は携帯型の撮像記録装置であり、一般には、撮影者が肩に担ぎ被写体に体を正対させて撮影を行う。受信装置２はビデオカメラ４に内蔵されているワイヤレス受信装置であり、一般には、人物等の被写体が携帯しているワイヤレスマイクロホン送信機１７からの電波を受信し、復調した音声信号をビデオカメラ４に入力する。ビデオカメラ４は、受信装置２から入力した音声信号を画像とともに記録する。平面アンテナ部１は、コネクタ部３を介して受信装置２に電気的に接続されるとともに、コネクタ部３により機械的に固定される。
【００２０】
平面アンテナ部１は、ビデオカメラ４の前方に平面アンテナ部１のアンテナ素子面が正対するように配置され、一般的には、誘電体基板上に形成された板状逆Ｆアンテナで構成される。誘電体基板上に形成された板状逆Ｆアンテナでは、アンテナ素子の周囲長がλｇ／２（λｇは誘電体基板上の波長）で共振することが知られている。例えば、８００ＭＨｚ帯で誘電体基板の比誘電率を３．６程度に選んだ場合、アンテナ素子の１辺の長さ、すなわちビデオカメラ４の上部に突起する高さは約２４ｍｍ程度となる。
【００２１】
また、平面アンテナ部１のアンテナ素子（板状逆Ｆアンテナ）がビデオカメラ４の前方に正対するように配置されているので、平面アンテナの指向性がビデオカメラ４の前方に向けられることになる。ビデオカメラ４は常に被写体（人物等）に向けられるため、平面アンテナの指向性は被写体（人物等）が携帯しているワイヤレスマイクロホン送信機１７の方向に向けることができる。この場合、平面アンテナの最大利得方向の指向性利得は、一般には、約３ないし４ｄＢｉを得ることができる。
【００２２】
前述のように、上記従来例におけるスリーブアンテナ５の水平面内指向性は無指向性であるため、ワイヤレスマイクロホン送信機１７が常にビデオカメラ４の前方にあるにも関わらず、受信装置２のスリーブアンテナ５の指向性は全方向に向けられることになる。この場合、スリーブアンテナ５の利得は、一般には、約２．１ｄＢｉ程度である。
【００２３】
以上説明したように、本発明の第１の実施の形態によれば、ビデオカメラの上部に突起する平面アンテナ部１の高さは上記従来例におけるスリーブアンテナ５の約７分の１とすることができるため、障害物に干渉する問題を回避することができる。また、ビデオカメラ４に接続される受信装置２のアンテナ指向性を常にワイヤレスマイクロホン送信機１７の方向へ向けることができるため、その指向性利得は約３ないし４ｄＢｉと、上記従来例における約２．１ｄＢｉより相当高い指向性利得を得ることができる。
（第２の実施の形態）
以下、図２を参照して、本発明の第２の実施の形態におけるビデオカメラに装備するワイヤレスアンテナ装置の構成を説明する。図２において、３１は複数の平面アンテナ素子８ａ〜８ｄからなり受信装置２の上部に固定されて被写体が携帯しているワイヤレスマイクロホン送信機１７（図５）からの電波を受信する平面アンテナ部、８ａ〜８ｄは平面アンテナ部３１を構成する複数の平面アンテナ素子、６は面上に複数の平面アンテナ素子８ａ〜８ｄをエッチング、メッキ、張り付けまたはその他の手段により構成する誘電体基板である。
【００２４】
また、７は誘電体基板６をその面上に装着して平面アンテナ素子８ａ〜８ｄに対するグランドとなるグランド板、９ａ〜９ｄは平面アンテナ素子８ａ〜８ｄに設けられそれらのグランド板７に対するグランドコンタクトとなるスルーホール、１０ａ及び１０ｂは平面アンテナ素子８ａ〜８ｄからの受信信号を合成して受信装置２に出力する電力分配器、１１ａ、１１ｂは平面アンテナ部３１を受信装置２に接続するコネクタ部である。尚、ビデオカメラ４及び受信装置２は図１に示すものと同様のため、説明を省略する。
【００２５】
次に、図３を参照して、本第２の実施の形態におけるビデオカメラに装備するワイヤレスアンテナ装置の動作を説明する。図３において、誘電体基板６は、一般に、板厚が５ｍｍないし８ｍｍ程度で比誘電率が２ないし４程度の誘電体基板で構成される（しかし、他の如何なる大きさでもよい）。誘電体基板６はグランド板７上に実装され、グランド板７は誘電体基板６上に構成される平面アンテナ素子８ａ〜８ｄに対するグランドプレーンとして動作する。また、グランド板７は、コネクタ部１１ａ及び１１ｂのグランド側に接続され、平面アンテナ部３１全体のグランドプレーンとして動作する。平面アンテナ素子８ａ〜８ｄは、それぞれ板状逆Ｆアンテナを構成している。スルーホール９ａ〜９ｄは、それぞれ平面アンテナ素子８ａ〜８ｄが構成する板状逆Ｆアンテナのグランドコンタクトとして動作する。
【００２６】
また、電力分配器１０ａ及び１０ｂは、誘電体基板６上にマイクロストリップラインにより構成される。平面アンテナ素子８ａ及び８ｂからの受信信号は電力分配器１０ａにより合成されて、コネクタ部１１ａに導かれる。平面アンテナ素子８ｃ及び８ｄからの受信信号は電力分配器１０ｂにより合成されて、コネクタ部１１ａに導かれる。以上のように、平面アンテナ素子８ａ及び８ｂと平面アンテナ素子８ｃ及び８ｄは２組のアンテナアレイを構成する。平面アンテナ素子８ａ及び８ｂと８ｃ及び８ｄとによりアンテナアレイに構成することにより、各々の平面アンテナ素子８ａ及び８ｂと８ｃ及び８ｄとの指向性を合成することになり、正面方向に高い指向性利得を得ることができる。
【００２７】
この場合、一般には、最大利得方向で約５ないし６ｄＢｉ程度の指向性利得を得ることができる。また、２組（８ａ及び８ｂと８ｃ及び８ｄ）のアンテナアレイを構成することにより、スペースダイバーシチアンテナを構成する。ここで、８００ＭＨｚ帯における平面アンテナ部３１の高さは、平面アンテナ素子８ａ〜８ｄの１辺の長さ（２４ｍｍ程度）と、電力分配器１０ａ〜１０ｂの長さ（約１５ｍｍ程度）とを加算した長さにほぼ等しくすることができ、約４０ｍｍ程度に抑えることができる。
【００２８】
次に、図３を参照して、本第２の実施の形態におけるビデオカメラに装備したワイヤレスアンテナ装置の水平面指向性について説明する。図３において、１は本実施の形態における平面アンテナ部、４は平面アンテナ部３１を搭載したビデオカメラ、１２はビデオカメラ４を被写体１５の方向に向ける撮影者、１３は本実施の形態における平面アンテナ部３１の指向性パターン、１４は従来例によるアンテナの指向性パターン、１５はワイヤレスマイクロホンに対し音声を発する被写体を示す。図３において、ビデオカメラ４は撮影者１２の肩に担がれて被写体１５の方向に向けられる。
【００２９】
本発明の第２の実施の形態において、平面アンテナ部３１はビデオカメラ４の前方方向へ指向性が向けられており、その指向性パターン１３は図３に示すようになる。そして、最大利得方向（被写体の方向）に対する指向性利得は、約５ないし６ｄＢｉ程度となる。一方、上記図２に示す従来例によるスリーブアンテナ５の水平面内の指向性は無指向性であるため、その指向性パターン１４は図３に示すように円形の指向性パターンとなり、被写体方向の利得は、約２．１ｄＢｉとなる。
【００３０】
すなわち、上記のように、本実施の形態における平面アンテナ部によると、アンテナアレイを構成することにより、上記従来のスリーブアンテナの指向性利得の約２．１ｄＢｉと比べ、指向性利得が約５ないし６ｄＢｉという相当高い結果を得ることができる。
（第３の実施の形態）
以下、図４を参照して、本発明の第３の実施の形態におけるビデオカメラに装備するワイヤレスアンテナ装置の構成を説明する。本実施の形態におけるワイヤレスアンテナ装置は、図１に示すような平面アンテナ部４１をビデオカメラ４の前方部に配置するように構成したものである。図４において、２は受信した音声信号を復調する受信装置、４は被写体を撮影するビデオカメラ、４１はビデオカメラ４の前方部に固定され被写体が携帯しているワイヤレスマイクロホン送信機１７（図５）からの電波を受信する平面アンテナ部、１６は平面アンテナ部４１を受信装置２に接続する接続ケーブルである。
【００３１】
図４において、平面アンテナ部４１はビデオカメラ４の前方部に配置されているため、被写体方向に取っ手や撮影者頭部などの干渉物がないので、図１に示す第１の実施の形態のものと比較して、より高いアンテナ利得を確保することができる。
【００３２】
以上説明した平面アンテナ部１、３１、４１の構成や取り付け位置は、上記に示した構成に限るものではなく、同様な指向性利得が得られる構成や取り付け位置とすれば、他の如何なる構成及び取り付け位置でもよく、それによっても同様な効果を得ることができる。
（第４の実施の形態）
以下、図５の（Ａ）乃至図５の（Ｃ）を参照して、本発明の第４の実施の形態におけるワイヤレスマイクロホンに内蔵するワイヤレスアンテナ装置の構成を説明する。図５の（Ａ）乃至図５の（Ｃ）において、１７はマイクロホン部２６から受けた音声信号を高周波送信信号に変換して誘電体ヘリカルアンテナ１８及びループアンテナ２０を介して送信するワイヤレスマイクロホン送信機、１８は誘電体上に構成されワイヤレスマイクロホンの下部に配置された誘電体ヘリカルアンテナ（第１アンテナ）、１９は送信する高周波送信信号を高周波信号切替回路２２から誘電体ヘリカルアンテナ１８に伝送する伝送線路である。
【００３３】
また、２０はワイヤレスマイクロホンの上部に配置されたループアンテナ（第２アンテナ）、２１は送信する高周波送信信号を高周波信号切替回路２２からループアンテナ２０に伝送する伝送線路、２２は送信回路２４からの高周波送信信号をヘリカルアンテナ１８かまたはループアンテナ２０に選択して切り替える高周波信号切替回路、２３はヘリカルアンテナ１８かループアンテナ２０からの反射信号を検出制御部２５へ導く方向性結合器、２４はマイクロホン部２６からの音声電気信号を変調して高周波送信信号を出力する送信回路、２５はヘリカルアンテナ１８かループアンテナ２０からの反射信号を検出して高周波信号切替回路２２を切り替え高周波送信信号を反射信号の少ない方のアンテナ１８、２０から送信させるようにする検出制御部、２６は音声を受けて音声電気信号に変換するマイクロホン部、２７は人体等の手である。
【００３４】
すなわち、図５の（Ａ）において、誘電体ヘリカルアンテナ１８は誘電体構造のヘリカルアンテナ（誘電体チップアンテナ）として構成され、ワイヤレスマイクロホン送信機１７内部のマイクロホン部２６の反対側（下側）に配置される。誘電体ヘリカルアンテナ１８は、伝送線路１９を介して高周波信号切替回路２２の一方の切り替え端子に電気的に接続される。ループアンテナ２０は銅などのワイヤまたは金属板（帯）で構成され、マイクロホン部２６側（上側）においてワイヤレスマイクロホン送信機１７の筐体周囲を取り巻くように構成される。ループアンテナ２０は伝送線路２１を介して高周波信号切替回路２２の他方の切り替え端子に電気的に接続される。
【００３５】
次に、図５の（Ａ）乃至図５の（Ｃ）を参照して、本発明の第４の実施の形態におけるワイヤレスマイクロホンに内蔵するワイヤレスアンテナ装置の動作を説明する。送信回路２４はマイクロホン部２６から受けた音声電気信号を変調して高周波送信信号を出力し、その送信信号は方向性結合器２３を介して高周波信号切替回路２２に導かれる。ここで、方向性結合器２３は、送信回路２４からアンテナ側へ進行する送信信号はほとんど損失なく伝送する一方、アンテナ側からの反射信号を検出制御部２５へ導くように動作する。
【００３６】
検出制御部２５は、高周波信号切替回路２２における接続状態により、誘電体ヘリカルアンテナ１８かまたはループアンテナ２０からの反射信号のレベル（リターンロス）を検出することができる。例えば、誘電体ヘリカルアンテナ１８かまたはループアンテナ２０を手等でカバーすると、手等でカバーしている方のアンテナ１８かまたは２０からの反射信号のレベルが大きくなる。そして、検出制御部２５はその反射信号を検出すると、高周波信号切替回路２２に指令して現在接続しているアンテナ１８、２０をそれから他のアンテナ２０、１８に切り替える。そこで、送信回路２４からの高周波送信信号は切り替えられた高周波信号切替回路２２の端子を通し、手等でカバーされていない方の誘電体ヘリカルアンテナ１８かループアンテナ２０から高周波送信信号の電波を放射する。
【００３７】
すなわち、検出制御部２５は、誘電体ヘリカルアンテナ１８及びループアンテナ２０のうち手等でカバーされておらず、インピーダンス整合の状態が良い方のアンテナを知ることができ、常にインピーダンス整合の状態が良い方のアンテナを通して送信するように制御することができる。
【００３８】
次に、図５の（Ｂ）及び（Ｃ）を参照して、スマイクロホン送信機１７を手（人体）２７で持った状態におけるスマイクロホン送信機１７の動作を説明する。図５の（Ｂ）はワイヤレスマイクロホン送信機１７の下部（マイクロホン部２６の反対側）を手２７で持った場合であり、図５の（Ｃ）は上部（マイクロホン部２６近傍）を手２７で持った場合を示している。ここで、図５の（Ｂ）の場合は、誘電体ヘリカルアンテナ１８の周辺を手２７で覆っているため、手の近接効果により誘電体ヘリカルアンテナ１８のインピーダンスが変動するとともにアンテナ利得も劣化する。この場合においては、検出制御部２５は誘電体ヘリカルアンテナ１８のインピーダンス整合状態が悪いことを検出し、ループアンテナ２０を選択してそこから送信するよう高周波信号切替回路２２を自動的に切り替える。一方、図５の（Ｃ）の場合、検出制御部２５は、逆にループアンテナ２０のインピーダンス整合状態が悪いことを検出し、誘電体ヘリカルアンテナ１８を選択して送信するよう高周波信号切替回路２２を自動的に切り替える。
【００３９】
以上のように、本発明の第４の実施の形態によれば、ワイヤレスマイクロホン送信機を持つ手の影響を受けない側のアンテナを自動的に選択して送信することができるので、常に高いアンテナ利得を確保することができる。
（第５の実施の形態）
以下、図６を参照して、本発明の第５の実施の形態におけるワイヤレスマイクロホンに内蔵するワイヤレスアンテナ装置の構成を説明する。図６において、１７はマイクロホン部２６から受けた音声信号を高周波送信信号に変換して誘電体ヘリカルアンテナ１８及びループアンテナ２０を介して送信するワイヤレスマイクロホン送信機、１８は誘電体上に構成されワイヤレスマイクロホンの下部に配置された誘電体ヘリカルアンテナ（第１アンテナ）、１９は送信する高周波送信信号をサーキュレータ２８から誘電体ヘリカルアンテナ１８に伝送する伝送線路である。
【００４０】
また、２０はワイヤレスマイクロホンの上部に配置されたループアンテナ（第２アンテナ）、２１は送信する高周波送信信号をサーキュレータ２８からループアンテナ２０に伝送する伝送線路、２４はマイクロホン部２６からの音声電気信号を変調して高周波送信信号を出力する送信回路、２６は音声を受けて電気信号に変換するマイクロホン部、２８は送信回路２４からの送信信号を誘電体ヘリカルアンテナ１８へ伝送し、誘電体ヘリカルアンテナ１８から反射信号がある場合は、その反射信号をループアンテナ２０へ伝送するサーキュレータである。
【００４１】
次に、図６を参照して、本発明の第５の実施の形態におけるワイヤレスマイクロホンに内蔵するワイヤレスアンテナ装置の動作を説明する。例えば、図５の（Ｂ）に示すように、ワイヤレスマイクロホン送信機１７の下部を手２７で持った場合は、誘電体ヘリカルアンテナ１８のインピーダンス整合状態が悪くなるため、高周波送信信号が誘電体ヘリカルアンテナ１８で反射され、サーキュレータ２８を介してループアンテナ２０へと伝送される。また、図５の（Ｃ）に示すように、ワイヤレスマイクロホン送信機１７の上部を手２７で持った場合は、誘電体ヘリカルアンテナ１８のインピーダンス整合状態が良いため、送信信号は誘電体ヘリカルアンテナ１８から放射され、反射がないためにループアンテナ２０へは伝送されない。
【００４２】
以上のように、本発明の第５の実施の形態によれば、ワイヤレスマイクロホン送信機を持つ手の影響を受けない側のアンテナを自動的に選択して送信することができるので、常に高いアンテナ利得を確保することができる。
【００４３】
本発明は、以上のように構成し、特に、平面アンテナ部を使用することにより、ビデオカメラの上部に突起するアンテナの高さを低く抑えて、障害物に対する干渉を回避することができるとともに、平面アンテナ部を被写体の方へ向け、複数の平面アンテナ素子により構成したことにより、アンテナ指向性を常にワイヤレスマイクロホン送信機の方向へ向けられ、高い指向性利得を得ることができるビデオカメラに装備したワイヤレス受信装置のワイヤレスアンテナ装置を提供することができる。
【産業上の利用可能性】
【００４４】
本発明は、ワイヤレスマイクロホン送信機にワイヤレスアンテナ装置を２個装備し、ワイヤレスマイクロホン送信機を持つ手の影響を受けない側のワイヤレスアンテナ装置を自動的に選択して送信するようにしたので、常に高いアンテナ利得を確保することができるワイヤレスマイクロホン送信機のワイヤレスアンテナ装置を提供することができる。
【図面の簡単な説明】
【００４５】
【図１】本発明の第１の実施の形態におけるワイヤレスアンテナ装置を装備したビデオカメラの基本概念図
【図２】本発明の第２の実施の形態におけるビデオカメラに装備するワイヤレスアンテナ装置の基本概念図
【図３】本発明の第２の実施の形態におけるワイヤレスアンテナ装置の動作の説明図
【図４】本発明の第３の実施の形態におけるワイヤレスアンテナ装置を装備したビデオカメラの基本概念図
【図５】本発明の第４の実施の形態におけるワイヤレスマイクロホン送信機の構成を示す図であり、  （Ａ）はワイヤレスマイクロホン送信機に内蔵するワイヤレスアンテナ装置の構成を示す図  （Ｂ）はワイヤレスマイクロホンの下部を手で持った状態を示す図  （Ｃ）はワイヤレスマイクロホンの上部を手で持った状態を示す図
【図６】本発明の第５の実施の形態におけるワイヤレスマイクロホン送信機に内蔵するワイヤレスアンテナ装置の構成を示す図
【図７】従来のビデオカメラの上部にスリーブアンテナ部を固定したワイヤレスアンテナ装置の構成図
【図８】従来のワイヤレスマイク筐体の内部に配置された逆Ｌアンテナで構成したワイヤレスアンテナ装置の構成図
【符号の説明】
【００４６】
１、３１、４１  平面アンテナ部
２  受信装置
３  コネクタ部
４  ビデオカメラ
５  スリーブアンテナ部
６  誘電体基板
７  グランド板
８ａ〜８ｄ  平面アンテナ素子
９ａ〜９ｄ  スルーホール
１０ａ、１０ｂ  電力分配器
１１ａ、１１ｂ  コネクタ部
１２  撮影者（人体）
１３  本発明における指向性
１４  従来例における指向性
１５  被写体
１６  接続ケーブル
１７  ワイヤレスマイクロホン送信機
１８  誘電体ヘリカルアンテナ
１９  伝送線路
２０  ループアンテナ
２１  伝送線路
２２  高周波信号切替回路
２３  方向性結合器
２４  送信回路
２５  検出制御部
２６  マイクロホン部
２７  手（人体）
２８  サーキュレータ
【図１】
2006148948.tif 000003
【図２】
2006148948.tif 000004
【図３】
2006148948.tif 000005
【図４】
2006148948.tif 000006
【図５】
2006148948.tif 000007
【図６】
2006148948.tif 000008
【図７】
2006148948.tif 000009
【図８】
2006148948.tif 000010